(57)【要約】【課題】神経用電極として充分な耐久性を有し、脳深部にも導入可能な強度とすることができ、また、脳深部にも導入可能な形状に加工することも容易で、さらに、微弱な電気信号を正確に測定することができる神経用電極を提供する。【解決手段】生体内の神経細胞に流れる微弱電気信号を測定するための神経用電極であって、非導電性で針状の電極本体と、神経細胞に流れる微弱電気信号を測定するための電極とを備える。【選択図】図１
2014033851.tif 000002
【特許請求の範囲】
【請求項１】
生体内の神経細胞に流れる微弱電気信号を測定するための神経用電極であって、
非導電性で針状の電極本体と、
前記神経細胞に流れる微弱電気信号を測定するための電極と、
を備えることを特徴とする神経用電極。
【請求項２】
前記電極本体を形成する材料が、樹脂母材と強化基材とから構成される複合材料であることを特徴とする請求項１に記載の神経用電極。
【請求項３】
前記強化基材のヤング率が１０ＧＰａ以上であることを特徴とする請求項２に記載の神経用電極。
【請求項４】
前記電極が、所定の間隔で設けられた複数の電極であることを特徴とする請求項１から３のいずれかに記載の神経用電極。
【請求項５】
前記電極本体が、該電極本体の長さ方向に沿って、前記電極が設けられた基部を有することを特徴とする請求項１から４のいずれかに記載の神経用電極。
【請求項６】
前記基部が、前記電極本体に複数備えられていることを特徴とする請求項５に記載の神経用電極。
【請求項７】
前記電極本体が、長さ方向に沿って延びる溝を備え、
前記溝に、前記電極が設けられた基部が嵌め込まれて固定されていることを特徴とする請求項５または６に記載の神経用電極。
【請求項８】
前記電極本体の表面に、前記電極が設けられていることを特徴とする請求項１から４のいずれかに記載の神経用電極。
【請求項９】
前記電極本体の針状の先端部が、該電極本体とは別体で形成されていることを特徴とする請求項１から８のいずれかに記載の神経用電極。
【請求項１０】
前記電極本体が、該電極本体の長さ方向に沿って流路孔が設けられていることを特徴とする請求項１から９のいずれかに記載の神経用電極。
【請求項１１】
前記電極本体が、該電極本体の長さ方向に沿って導光路が形成されていることを特徴とする請求項１から１０のいずれかに記載の神経用電極。
【発明の詳細な説明】
【技術分野】
【０００１】
本発明は、生体内の神経細胞に流れる微弱電気信号を測定し、例えば、脳機能等の解明及び治療を行うために、主として脳内部に挿入して使用される神経用電極に関する。
【背景技術】
【０００２】
従来から、脳機能を解明するため、脳内部に電極を挿入して、脳神経細胞に流れる微弱電気信号（細胞の活動電位）を測定することが行われている。
このような、脳内部など生体内に挿入して用いられる電極（以下、「神経用電極」と呼ぶ）としては、例えば、表面がガラス等により絶縁処理された金属製の針状の単電極や複数のシリコン製の針により構成された多点電極が用いられている。
【０００３】
図２１は、従来の神経用電極の構成を説明するための概略構成図であり、図２１（ａ）は神経用電極の正面図、図２１（ｂ）は神経用電極の側面図である。また、図２２は、図２１の神経用電極の構成を説明するための概略構成図であり、図２２（ａ）は拡大正面図、図２２（ｂ）はＸ−Ｘ断面図である。
図２１，２２に示すように、従来の神経用電極１００は、電極本体１０２と、基部１０４と、複数の電極１０６とを有している。
【０００４】
電極本体１０２は、例えば、タングステンなどの金属によって形成されており、電極本体１０２の先端部１０２ａがテーパー状に加工され針状になっている。なお、電極本体１０２は、その先端１０２ｂを除いて絶縁処理されている。
【０００５】
また、基部１０４は、ガラスやシリコン、ポリマー素材などによって形成されている。なお、基部１０４は、角棒状に形成されており、電極本体１０２の溝１０２ｄに嵌め込まれ、接着剤等で固定されている。
【０００６】
複数の電極１０６は、基部１０４の表面に露出するように、電極本体１０２の先端１０２ｂ側から、電極本体１０２の長さ方向に沿って所定の間隔で設けられており、各電極１０６は、基部１０４に埋め込まれた配線１０６ａにより、電極本体１０２の末端１０２ｃの側に設けられた複数の端子１０８に接続されている。
【０００７】
このように構成された神経用電極１００は、例えば、脳の内部に刺して使用され、電極本体１０２の先端１０２ｂ及び各電極１０６によって多点で脳細胞の活動電位を測定することができる。
【先行技術文献】
【特許文献】
【０００８】
【特許文献１】特開２０１１−３６３６０号公報
【発明の概要】
【発明が解決しようとする課題】
【０００９】
しかしながら、このように電極本体１０２が金属によって形成された神経用電極１００では、各電極１０６と電極本体１０２との間の静電容量や配線１０６ａと電極本体１０２との間の静電容量などの影響によって、微弱な電気信号である細胞の活動電位を正確に測定できない場合があった。
【００１０】
また、電極として非金属材料が用いられたものがこれまでにも存在するが、それらはいずれも薄膜状の電極であり、強度が弱く、脳深部に導入することが困難だった。
【００１１】
本発明は、このような現状に鑑み、神経用電極として充分な耐久性を有し、脳深部にも導入可能な強度とすることができ、また、脳深部にも導入可能な形状に加工することも容易で、さらに、微弱な電気信号を正確に測定することができる神経用電極を提供することを目的とする。
【課題を解決するための手段】
【００１２】
本発明は、前述したような従来技術における課題を解決するために発明されたものであって、本発明の神経用電極は、生体内の神経細胞に流れる微弱電気信号を測定するための神経用電極であって、
非導電性で針状の電極本体と、
前記神経細胞に流れる微弱電気信号を測定するための電極と、
を備えることを特徴とする。
【００１３】
また、本発明の神経用電極では、前記電極本体を形成する材料が、樹脂母材と強化基材とから構成される複合材料であることが好ましい。
また、本発明の神経用電極では、前記強化基材のヤング率が１０ＧＰａ以上であることが好ましい。
【００１４】
また、本発明の神経用電極では、前記電極が、所定の間隔で設けられた複数の電極であってもよい。
また、本発明の神経用電極では、前記電極本体が、該電極本体の長さ方向に沿って、前記電極が設けられた基部を有するように構成してもよい。
【００１５】
また、本発明の神経用電極では、前記基部が、前記電極本体に複数備えられていてもよい。
また、本発明の神経用電極では、前記電極本体が、長さ方向に沿って延びる溝を備え、
前記溝に、前記電極が設けられた基部が嵌め込まれて固定されていてもよい。
また、本発明の神経用電極では、前記電極本体の表面に、前記電極が設けられていてもよい。
【００１６】
また、本発明の神経用電極では、前記電極本体の針状の先端部が、該電極本体とは別体で形成されていてもよい。
また、本発明の神経用電極では、前記電極本体が、該電極本体の長さ方向に沿って流路孔が設けられていてもよい。
【００１７】
また、本発明の神経用電極では、前記電極本体が、該電極本体の長さ方向に沿って導光路が形成されていてもよい。
【発明の効果】
【００１８】
本発明によれば、神経用電極の電極本体を非導電性の材料によって形成しているため、電極と電極本体との間や配線と電極本体との間に静電容量が発生せず、微弱な電気信号である細胞の活動電位を正確に測定することができる。
【００１９】
また、本発明によれば神経用電極の電極本体を、強化基材のヤング率が１０ＧＰａ以上の複合素材もしくは単一素材からなる材料によって形成しているため、神経用電極として充分な耐久性を有し、脳深部にも導入可能な強度とすることができ、また、脳深部にも導入可能な形状に加工することも容易で、量産した場合にも製造コストを低減することができる。
【図面の簡単な説明】
【００２０】
【図１】図１は、本発明の神経用電極の構成を説明するための概略構成図であり、図１（ａ）は神経用電極の側面図、図１（ｂ）は神経用電極の平面図である。
【図２】図２は、図１の神経用電極の断面図であり、図２（ａ）はＡx−Ａx断面図、図２（ｂ）はＡy−Ａy断面図である。
【図３】図３は、本発明の神経用電極の別の実施例の構成を説明するための概略構成図であり、図３（ａ）は神経用電極の側面図、図３（ｂ）は神経用電極の平面図である。
【図４】図４は、図３の神経用電極の断面図であり、図４（ａ）はＢx−Ｂx断面図、図４（ｂ）はＢy−Ｂy断面図である。
【図５】図５は、本発明の神経用電極の構成の変形例を説明するための概略構成図であり、図５（ａ）は神経用電極の側面図、図５（ｂ）は神経用電極の平面図である。
【図６】図６は、図５の神経用電極の断面図であり、図６（ａ）はＣx−Ｃx断面図、図６（ｂ）はＣy−Ｃy断面図である。
【図７】図７は、本発明の神経用電極の構成の別の変形例を説明するための概略構成図であり、図７（ａ）は神経用電極の側面図、図７（ｂ）は神経用電極の平面図である。
【図８】図８は、図７の神経用電極の断面図であり、図８（ａ）はＤx−Ｄx断面図、図８（ｂ）はＤy−Ｄy断面図である。
【図９】図９は、本発明の神経用電極のさらに別の実施例の構成を説明するための概略構成図であり、図９（ａ）は神経用電極の側面図、図９（ｂ）は神経用電極の平面図である。
【図１０】図１０は、図９の神経用電極の断面図であり、図１０（ａ）はＥx−Ｅx断面図、図１０（ｂ）はＥy−Ｅy断面図である。
【図１１】図１１は、本発明の神経用電極のさらに別の実施例の構成を説明するための概略構成図であり、図１１（ａ）は神経用電極の側面図、図１１（ｂ）は神経用電極の平面図である。
【図１２】図１２は、図１１の神経用電極の断面図であり、図１２（ａ）はＦx−Ｆx断面図、図１２（ｂ）はＦy−Ｆy断面図である。
【図１３】図１３は、本発明の神経用電極のさらに別の実施例の構成を説明するための概略構成図であり、図１３（ａ）は神経用電極の側面図、図１３（ｂ）は神経用電極の平面図である。
【図１４】図１４は、図１３の神経用電極の断面図であり、図１４（ａ）はＧx−Ｇx断面図、図１４（ｂ）はＧy−Ｇy断面図である。
【図１５】図１５は、本発明の神経用電極のさらに別の実施例の構成を説明するための概略構成図であり、図１５（ａ）は神経用電極の側面図、図１５（ｂ）は神経用電極の平面図である。
【図１６】図１６は、図１５の神経用電極の断面図であり、図１６（ａ）はＨx−Ｈx断面図、図１６（ｂ）はＨy−Ｈy断面図である。
【図１７】図１７は、本発明の神経用電極のさらに別の実施例の構成を説明するための概略構成図であり、図１７（ａ）は神経用電極の側面図、図１７（ｂ）は神経用電極の平面図である。
【図１８】図１８は、図１７の神経用電極の断面図であり、図１８（ａ）はＩx−Ｉx断面図、図１８（ｂ）はＩy−Ｉy断面図である。
【図１９】図１９は、本発明の神経用電極の構成の変形例を説明するための概略構成図であり、図１９（ａ）は神経用電極の側面図、図１９（ｂ）は神経用電極の平面図である。
【図２０】図２０は、図１９の神経用電極の断面図であり、図２０（ａ）はＪx−Ｊx断面図、図２０（ｂ）はＪy−Ｊy断面図である。
【図２１】図２１は、従来の神経用電極の構成を説明するための概略構成図であり、図２１（ａ）は神経用電極の正面図、図２１（ｂ）は神経用電極の側面図である。
【図２２】図２２は、図２１の神経用電極の構成を説明するための概略構成図であり、図２２（ａ）は拡大正面図、図２２（ｂ）はＸ−Ｘ断面図である。
【発明を実施するための形態】
【００２１】
以下、本発明の実施の形態（実施例）を図面に基づいて、より詳細に説明する。
図１は、本発明の神経用電極の構成を説明するための概略構成図であり、図１（ａ）は神経用電極の側面図、図１（ｂ）は神経用電極の平面図である。また、図２は、図１の神経用電極の断面図であり、図２（ａ）はＡx−Ａx断面図、図２（ｂ）はＡy−Ａy断面図である。
【００２２】
図１，２に示すように、本実施例の神経用電極１０は、電極本体１２と、基部１４と、複数の電極１６とから構成されている。
電極本体１２は、例えば、紫外線硬化樹脂などの光硬化樹脂、エポキシ樹脂などの熱硬化性樹脂、ポリカーボネート樹脂などの熱可塑性樹脂などの樹脂母材と、例えば、ガラス短繊維、ガラス長繊維などの強化基材とから構成される非導電性の複合材料によって形成されている。
【００２３】
なお、電極本体１２の強度を確保するため、ヤング率が１０ＧＰａ以上の強化基材を用いることが好ましい。また、神経用電極１０を、例えば、脳軟膜や脳深部へ刺入するのに充分な強度が確保出来るのであれば、電極本体１２を非導電性の単一素材からなる材料によって形成しても構わない。
【００２４】
このような電極本体１２を形成する素材としては、例えば、ガラス繊維強化プラスチック（ＧＦＲＰ）、ガラス長繊維強化プラスチック（ＧＭＴ）、ポリエチレン繊維強化プラスチック（ＦＲＰ）、炭素繊維強化プラスチック（ＣＦＲＰ）、ボロン繊維強化プラスチック（ＢＦＲＰ）、アラミド繊維強化プラスチック（ＡＦＲＰ）、ザイロン強化プラスチック（ＺＦＲＰ）、液晶ポリマー、ファインセラミックスなどが挙げられる。
【００２５】
また、電極本体１２の先端部１２ａはテーパー状に加工され針状になっている。また、電極本体１２の上面には、電極本体１２の長さ方向に沿って延びる溝１２ｄが設けられている。
【００２６】
溝１２ｄには、基部１４が嵌め込まれて固定されることになるため、溝１２ｄは、基部１４と係合する形状に設けられている。
また、基部１４は、例えば、ガラスやシリコン、ポリマー素材などによって形成されている。なお、本実施例では、基部１４は、角棒状に形成されており、電極本体１２の溝１２ｄに嵌め込まれ、例えば、接着剤等によって固定されている。
【００２７】
また、複数の電極１６は、基部１４の表面に露出するように、電極本体１２の先端１２ｂ側から、電極本体１２の長さ方向に沿って所定の間隔で設けられている。また、各電極１６は、基部１４上にマイクロファブリケーション技術を用いて形成された配線により、電極本体１２の末端１２ｃの側に設けられた複数の端子１８と接続されている。なお、配線は信号精度向上のため絶縁コーティングすることもできる。
【００２８】
なお、電極１６の数や設けられる位置は特に限定されるものではなく、神経用電極１０として必要な数、必要な位置に設けることができ、例えば、単一の電極１６を基部１４に設けたり、複数の電極１６を基部１４に千鳥状に設けたりすることもできる。
【００２９】
また、複数の端子１８は、図示しないモニターなどの表示手段や電気信号取得手段と接続され、複数の電極１６によって測定された細胞の活動電位などの電気信号を表示手段に表示したり、電気信号取得手段によって細胞の活動電位を取得することができる。
【００３０】
また、複数の端子１８を電気信号入力手段と接続することによって、複数の電極１６から細胞に対して電気的な刺激を与えたりすることもできる。
このように構成される本実施例の神経用電極１０は、例えば、脳の内部に刺して使用され、電極本体１２の複数の電極１６によって多点で脳細胞の活動電位を測定することができる。
【００３１】
なお、電極本体１２が樹脂母材と強化基材とから構成される複合材料によって形成されているため、神経用電極１０は、例えば、脳軟膜や脳深部へ刺入して使用するのに充分な強度を有している。
【００３２】
また、電極本体１２が非導電性の複合材料によって形成されているため、複数の電極１６電極本体１２との間や配線１６ａと電極本体１２との間に静電容量が発生することがなく、微弱な電気信号である細胞の活動電位であっても正確に測定することができる。
【００３３】
図３は、本発明の神経用電極の別の実施例の構成を説明するための概略構成図であり、図３（ａ）は神経用電極の側面図、図３（ｂ）は神経用電極の平面図である。また、図４は、図３の神経用電極の断面図であり、図４（ａ）はＢx−Ｂx断面図、図４（ｂ）はＢy−Ｂy断面図である。
【００３４】
この実施例の神経用電極１０は、図１，２に示した神経用電極１０と基本的には同様な構成であり、同一の構成部材には、同一の符号を付して、その詳細な説明を省略する。
【００３５】
図３，４に示した神経用電極１０では、その先端部１２ａが円錐状に加工され針状になっている。なお、この実施例の神経用電極１０では、先端部１２ａは、電極本体１２とは別体として形成されているが、先端部１２ａと電極本体１２を一体に形成しても構わない。
【００３６】
先端部１２ａを電極本体１２とは別体で構成する場合には、先端部１２ａを電極本体１２と同じ材料によって形成してもよいし、例えば、ガラス、セラミックス、金属など電極本体１２とは異なる材料によって形成しても構わない。
【００３７】
このように、本発明において、神経用電極１０の先端部１２ａの形状や材料は特に限定されるものではなく、例えば、図５，６に示すように、電極本体１２と先端部１２ａとが係合するようなテーパー面１２ｅを設けてもよいし、図７，８に示すように、テーパー面１２ｅを有する接続部１２ｆと先端部１２ａとを別体で構成するようにしてもよい。
【００３８】
図７，８に示すように、接続部１２ｆを設ける場合、接続部１２ｆは、先端部１２ａと同様に、電極本体１２と同じ材料によって形成してもよいし、例えば、ガラス、セラミックス、金属など電極本体１２とは異なる材料によって形成しても構わない。
【００３９】
図９は、本発明の神経用電極のさらに別の実施例の構成を説明するための概略構成図であり、図９（ａ）は神経用電極の側面図、図９（ｂ）は神経用電極の平面図である。また、図１０は、図９の神経用電極の断面図であり、図１０（ａ）はＥx−Ｅx断面図、図１０（ｂ）はＥy−Ｅy断面図である。
【００４０】
この実施例の神経用電極１０は、図１，２に示した神経用電極１０と基本的には同様な構成であり、同一の構成部材には、同一の符号を付して、その詳細な説明は省略する。
【００４１】
図９，１０に示した神経用電極１０では、電極本体１２の長さ方向に沿って流路孔２０が設けられている。このような流路孔２０を設けることによって、神経用電極１０を、例えば、脳の内部などに刺入した状態で、この流路孔２０に薬剤等を注入することができ、薬剤等による刺激を与えることができる。
【００４２】
この状態で、複数の電極１６によって多点で細胞の活動電位を測定することによって、薬剤等の刺激による細胞の反応を容易に、かつ、正確に測定することができる。
【００４３】
図１１は、本発明の神経用電極のさらに別の実施例の構成を説明するための概略構成図であり、図１１（ａ）は神経用電極の側面図、図１１（ｂ）は神経用電極の平面図である。また、図１２は、図１１の神経用電極の断面図であり、図１２（ａ）はＦx−Ｆx断面図、図１２（ｂ）はＦy−Ｆy断面図である。
【００４４】
この実施例の神経用電極１０は、図１，２に示した神経用電極１０と基本的には同様な構成であり、同一の構成部材には、同一の符号を付して、その詳細な説明は省略する。
【００４５】
図１１，１２に示した神経用電極１０では、電極本体１２の末端１２ｃ側から先端部１２ａ付近まで、電極本体１２の長さ方向に沿って導光孔２２が形成されており、この導光孔２２に光ファイバー２３が挿入され導光路２４が形成されている。
【００４６】
このように導光路２４を挿入することによって、神経用電極１０を、例えば、脳の内部などに刺入した状態で、この導光路２４を用いて細胞に対して光の刺激を与えることができる。
【００４７】
この状態で、複数の電極１６によって多点で細胞の活動電位を測定することによって、光の刺激による細胞の反応を容易に、かつ、正確に測定することができる。なお、電極本体１２が非導電性の材料により構成されているため、金属等に光を照射した場合に生じる光電効果によるノイズが発生することがなく、光の刺激による細胞の反応を正確に測定することができる。
【００４８】
なお、本実施例では、導光孔２２に光ファイバー２３を挿入しているが、導光孔２２自体を光導波路構造の導光路２４を形成すれば、光ファイバー２３などを挿入せずとも神経用電極１０の先端部１２ａまで光を伝えることができ、細胞に対して光による刺激を与えることができる。
【００４９】
また、このように神経用電極１０の先端部１２ａ付近において発光するように構成する場合には、電極本体１２の少なくとも先端部１２ａは透光性を有する材料によって形成することが好ましい。
【００５０】
なお、本実施例では、神経用電極１０の先端部１２ａ付近において発光するように構成しているが、これに限らず、発光位置は電極本体１２の先端１２ｂ側から末端１２ｃ側までの間で任意の位置に設定することができる。
【００５１】
図１３は、本発明の神経用電極のさらに別の実施例の構成を説明するための概略構成図であり、図１３（ａ）は神経用電極の側面図、図１３（ｂ）は神経用電極の平面図である。また、図１４は、図１３の神経用電極の断面図であり、図１４（ａ）はＧx−Ｇx断面図、図１４（ｂ）はＧy−Ｇy断面図である。
【００５２】
この実施例の神経用電極１０は、図１，２に示した神経用電極１０と基本的には同様な構成であり、同一の構成部材には、同一の符号を付して、その詳細な説明を省略する。
【００５３】
図１３，１４に示した神経用電極１０では、図１４（ｂ）において上下両側に基部１４を備えている。このように、電極本体１２が、複数の電極１６を有する基部１４を複数備えることによって、１本の神経用電極１０で測定可能な電極１６の数をより増やすことができる。
【００５４】
なお、図１３，１４に示した神経用電極１０では、基部１４を２つ備えた構成としているが、特に限定されるものではなく、複数の基部１４を備えることができる。
【００５５】
図１５は、本発明の神経用電極のさらに別の実施例の構成を説明するための概略構成図であり、図１５（ａ）は神経用電極の側面図、図１５（ｂ）は神経用電極の平面図である。また、図１６は、図１５の神経用電極の断面図であり、図１６（ａ）はＨx−Ｈx断面図、図１６（ｂ）はＨy−Ｈy断面図である。
【００５６】
この実施例の神経用電極１０は、図１，２に示した神経用電極１０と基本的には同様な構成であり、同一の構成部材には、同一の符号を付して、その詳細な説明を省略する。
【００５７】
図１から１４に示した神経用電極１０では、電極本体１２の長さ方向に沿って延びる溝１２ｄが設けられ、この溝１２ｄに基部１４を嵌め込んで固定していたが、この実施例の神経用電極１０では、電極本体１２の上面に基部１４を載置した状態で接着固定している。
【００５８】
このように、溝１２ｄを設けなくとも、電極本体１２の上面に複数の電極１６を有する基部１４を接着固定すればよいので、製作工程が簡易となり、製造コストを低下させることができる。
【００５９】
図１７は、本発明の神経用電極のさらに別の実施例の構成を説明するための概略構成図であり、図１７（ａ）は神経用電極の側面図、図１７（ｂ）は神経用電極の平面図である。また、図１８は、図１７の神経用電極の断面図であり、図１８（ａ）はＩx−Ｉx断面図、図１８（ｂ）はＩy−Ｉy断面図である。
【００６０】
この実施例の神経用電極１０は、図１，２に示した神経用電極１０と基本的には同様な構成であり、同一の構成部材には、同一の符号を付して、その詳細な説明を省略する。
【００６１】
図１７，１８に示した神経用電極１０では、複数の電極１６が基部１４に設けられておらず、電極本体１２に直接設けられている。
すなわち、樹脂母材と強化基材とから構成される非導電性の複合材料によって形成される電極本体１２に、複数の電極１６、配線１６ａ、複数の端子１８が設けられている。
【００６２】
なお、図１〜１６に示した実施例では、基部１４上にマイクロファブリケーション技術を用いて形成された配線により、複数の電極１６と複数の端子１８とを接続しているが、本実施例のように、複数の電極１６と複数の端子１８とを接続する配線１６ａを電極本体１２に埋め込んでもよい。
【００６３】
このように、基部１４を設けなくとも、電極本体１２を形成する複合材料自体に充分な強度を有しているため、例えば、脳軟膜や脳深部へ刺入する場合にも折れたり割れたりするような不具合が生じることがない。
【００６４】
また、基部１４を設けずに、非導電性の複合材料から形成される電極本体１２に複数の電極１６、配線１６ａ、複数の端子１８を直接設けるようにすることで、神経用電極１０の製造工程が簡易なものとなり、量産する場合にも製造コストを低減することが可能となる。
【００６５】
なお、本実施例では、Ｉy−Ｉy断面形状がＵ字形状の電極本体１２を用いているが、例えば、図１９，２０に示すように、Ｊy−Ｊy断面形状が円形状の電極本体１２を用いることもできる。
【００６６】
以上、本発明の好ましい実施の態様を説明してきたが、本発明はこれに限定されることはなく、例えば、電極本体１２に流路孔２０と導光孔２２の両方を設けるように構成したり、電極本体１２や基部１４に、酵素型バイオセンサなどのように脳細胞などの生体と接触することにより反応するセンサを設けたりするなど、本発明の目的を逸脱しない範囲で種々の変更が可能である。
【符号の説明】
【００６７】
１０      神経用電極
１２      電極本体
１２ａ    先端部
１２ｂ    先端
１２ｃ    末端
１２ｄ    溝
１２ｅ    テーパー面
１２ｆ    接続部
１４      基部
１６      電極
１６ａ    配線
１８      端子
２０      流路孔
２２      導光孔
２３      光ファイバー
２４      導光路
１００    神経用電極
１０２    電極本体
１０２ａ  先端部
１０２ｂ  先端
１０２ｃ  末端
１０２ｄ  溝
１０４    基部
１０６    電極
１０６ａ  配線
１０８    端子
【図１】
2014033851.tif 000003
【図２】
2014033851.tif 000004
【図３】
2014033851.tif 000005
【図４】
2014033851.tif 000006
【図５】
2014033851.tif 000007
【図６】
2014033851.tif 000008
【図７】
2014033851.tif 000009
【図８】
2014033851.tif 000010
【図９】
2014033851.tif 000011
【図１０】
2014033851.tif 000012
【図１１】
2014033851.tif 000013
【図１２】
2014033851.tif 000014
【図１３】
2014033851.tif 000015
【図１４】
2014033851.tif 000016
【図１５】
2014033851.tif 000017
【図１６】
2014033851.tif 000018
【図１７】
2014033851.tif 000019
【図１８】
2014033851.tif 000020
【図１９】
2014033851.tif 000021
【図２０】
2014033851.tif 000022
【図２１】
2014033851.tif 000023
【図２２】
2014033851.tif 000024